(57)【要約】【課題】防水性を向上させた電子部品収納ケースを提供する。【解決手段】ベース３と、カバー４と、シール部材３４，４４と、を備え、前記ベース３は、ベース側基部３１と、空間Ｓの外方に位置するベース側凹部３２、ベース側凸部３３の一対とを備え、前記ベース側凹部３２の底部には前記シール部材３４が配置され、前記カバー４は、カバー側基部４１と、前記空間Ｓの外方に位置するカバー側凹部４２、カバー側凸部４３の一対とを備え、前記カバー側凹部４２の底部には前記シール部材４４が配置され、前記ベース３と前記カバー４とが組み合わされ、前記ベース側基部３１と前記カバー側基部４１とが対向した状態にて、凹部３２，４２に凸部４３，３３がそれぞれ入り込んで前記シール部材３４，４４に当接し、かつ、この状態にて前記ベース側凸部３３と前記カバー側凸部４３とは隣り合っており、かつ、反対方向に突出した関係にある。【選択図】図４
2019220635.tif 000002
【特許請求の範囲】
【請求項１】
電子部品を収納できる空間を有する電子部品収納ケースであって、
ベースと、該ベースに組み合わされることで前記空間を形成するカバーと、前記ベースと前記カバーとを水密に接合させるシール部材と、を備え、
前記ベースは、ベース側基部と、前記ベース側基部に設けられて前記空間の外方に位置するベース側凹部、ベース側凸部の一対とを備え、前記ベース側凹部の底部には前記シール部材が配置され、前記ベース側凸部は前記ベース側基部から突出しており、
前記カバーは、カバー側基部と、前記カバー側基部に設けられて前記空間の外方に位置するカバー側凹部、カバー側凸部の一対とを備え、前記カバー側凹部の底部には前記シール部材が配置され、前記カバー側凸部は前記カバー側基部から突出しており、
前記ベースと前記カバーとが組み合わされ、前記ベース側基部と前記カバー側基部とが前記空間を挟んで対向した状態にて、前記ベース側凹部に前記カバー側凸部が入り込んで前記シール部材に当接すると共に、前記カバー側凹部に前記ベース側凸部が入り込んで前記シール部材に当接し、かつ、この状態にて前記ベース側凸部と前記カバー側凸部とは隣り合っており、かつ、反対方向に突出した関係にあることを特徴とする電子部品収納ケース。
【請求項２】
前記ベースと前記カバーとが組み合わされた状態にて、前記ベース側凸部と前記カバー側凸部は直近で隣り合っており、
前記ベース側凸部と前記カバー側凸部とにおける前記隣り合う関係にある側面が、先端に向かうにつれ、前記ベース側凸部と前記カバー側凸部の各々が入り込む前記カバー側凹部と前記ベース側凹部の各々における幅方向中央に近づくようなテーパ面であることを特徴とする請求項１に記載の電子部品収納ケース。
【請求項３】
請求項１または２に記載の電子部品収納ケースにおける前記空間に前記電子部品が配置された電子部品収納体であって、
前記電子部品は、可視的な情報を表示する画面を有するディスプレイを備え、
前記カバーは、前記画面に対向する部分が透明である電子部品収納体。
【発明の詳細な説明】
【技術分野】
【０００１】
本発明は、防水が必要な状況で使用するのに適した電子部品収納ケース、及び、電子部品と電子部品収納ケースとが組み合わされた電子部品収納体に関する。
【背景技術】
【０００２】
電子部品収納ケースの一例として、特許文献１に記載されたケースが存在する。これは、収納物がテレビジョン信号分配器、分岐器であるケースであって、本体と蓋とが組み合わされたケースである。このケースでは、本体（ベース）と蓋（カバー）との接合部の端面において、収納物を収納する空間に対して周回するように隣り合う２本の凹部が形成されている。２本の凹部のうち１本は本体の端面に形成されており、他の１本は蓋の端面に形成されている。
【０００３】
各凹部の底にはパッキンまたはガスケットが配置されている。本体に形成された凹部に対向する蓋の端面には凸部が形成されており、蓋に形成された凹部に対向する本体の端面には凸部が形成されている。本体と蓋とを組み合わせると、対向する関係にある凹部に位置するパッキンまたはガスケットを凸部が押し付ける。これにより、２重のシールがなされる。
【先行技術文献】
【特許文献】
【０００４】
【特許文献１】実公昭６３−４９９６５号公報
【発明の概要】
【発明が解決しようとする課題】
【０００５】
しかし、特許文献１に記載の構成では、前記接合部の端面に形成される各凹部が浅いことから、前記２重のシールにおいて、一方のシールと他方のシールとが近接している。もし一方のシールから水が浸入すると、浸入した水がそのままの水量で他方のシールまでたどり着いてしまう。他方のシールを通過してケースの内部に水が浸入してしまうと、収納物が故障したり、収納物に腐食が生じたりしてしまう。このため、従来の構成では防水性に関して改良の余地があった。
【０００６】
そこで本発明は、防水性を向上させた電子部品収納ケース、及び、電子部品収納体を提供することを目的とする。
【課題を解決するための手段】
【０００７】
本発明は、電子部品を収納できる空間を有する電子部品収納ケースであって、ベースと、該ベースに組み合わされることで前記空間を形成するカバーと、前記ベースと前記カバーとを水密に接合させるシール部材と、を備え、前記ベースは、ベース側基部と、前記ベース側基部に設けられて前記空間の外方に位置するベース側凹部、ベース側凸部の一対とを備え、前記ベース側凹部の底部には前記シール部材が配置され、前記ベース側凸部は前記ベース側基部から突出しており、前記カバーは、カバー側基部と、前記カバー側基部に設けられて前記空間の外方に位置するカバー側凹部、カバー側凸部の一対とを備え、前記カバー側凹部の底部には前記シール部材が配置され、前記カバー側凸部は前記カバー側基部から突出しており、前記ベースと前記カバーとが組み合わされ、前記ベース側基部と前記カバー側基部とが前記空間を挟んで対向した状態にて、前記ベース側凹部に前記カバー側凸部が入り込んで前記シール部材に当接すると共に、前記カバー側凹部に前記ベース側凸部が入り込んで前記シール部材に当接し、かつ、この状態にて前記ベース側凸部と前記カバー側凸部とは隣り合っており、かつ、反対方向に突出した関係にあることを特徴としている。
【０００８】
上記構成によれば、ベース側シール部材とカバー側シール部材との距離を、対向したベース側基部と前記カバー側基部との距離に対応させられるため長く設定できる。このため、もし電子部品収納ケースにおいて外側に位置するカバー側シール部材から水分が浸入したとしても、ベース側凸部を含む部分における側面、及び、カバー側凸部における側面に水分が付着していくため、内側に位置するベース側シール部材まで水分がたどり着いたとしても、たどり着く水量は少なくなる。この結果、電子部品の収納された空間まで水分が浸入することを有効に抑制できる。
【０００９】
また、前記ベースと前記カバーとが組み合わされた状態にて、前記ベース側凸部と前記カバー側凸部は直近で隣り合っており、前記ベース側凸部と前記カバー側凸部とにおける前記隣り合う関係にある側面が、先端に向かうにつれ、前記ベース側凸部と前記カバー側凸部の各々が入り込む前記カバー側凹部と前記ベース側凹部の各々における幅方向中央に近づくようなテーパ面であってもよい。
【００１０】
上記構成によれば、カバーをベースに組み合わせる際、テーパ面である各面がベース側凸部をカバー側凹部に誘導し、カバー側凸部をベース側凹部に誘導する。このようにテーパ面である各面が移動のガイドをするため、電子部品収納ケースの組み立て作業が容易である。
【００１１】
また、本発明は、前記電子部品収納ケースにおける前記空間に前記電子部品が配置された電子部品収納体であって、前記電子部品は、可視的な情報を表示する画面を有するディスプレイを備え、前記カバーは、前記画面に対向する部分が透明であることを特徴としている。
【００１２】
上記構成によれば、カバーに透明な部分を設けることにより、ディスプレイを電子部品収納ケースの内部に密閉しつつ、ディスプレイの画面を外部から視認可能である。
【発明の効果】
【００１３】
本発明は、電子部品の収納された空間まで水分が浸入することを有効に抑制できる。よって、防水性を向上できる。
【図面の簡単な説明】
【００１４】
【図１】本発明の一実施形態に係る電子部品収納ケースに電子部品が収納されて形成されたメータパネルを示す正面図である。
【図２】特装車（粉粒体運搬車）に前記メータパネルを取り付けた一例を示す側面図である。
【図３】前記メータパネルを示す分解斜視図である。
【図４】前記電子部品収納ケースを示す、要部を拡大した縦断面図である。
【図５】（ａ）は本発明の他の実施形態に係る電子部品収納ケースを示す、要部を拡大した縦断面図であり、（ｂ）は本発明の更に他の実施形態に係る電子部品収納ケースを示す、要部を拡大した縦断面図である。
【発明を実施するための形態】
【００１５】
以下、本発明の一実施形態に係る電子部品収納ケースについて説明する。なお、前後方向については、図３における左下方、図４における左方を前方とし、図３における右上方、図４における右方を後方として説明する。また、内外方向については、図４における上方を外方とし、下方を内方とする。
【００１６】
本実施形態の電子部品収納ケース２は、特に車両用に好適であって、例えば、図１に示す電子部品収納体としてのメータパネル１に用いられる。このメータパネル１は、例えば、図２に示すように特装車Ｖ（具体的には粉粒体運搬車）において粉粒体を保持するタンクＴの側方に取り付けられる。
【００１７】
メータパネル１は正面側に表示窓１１を備えている。この表示窓１１には、例えば図１に示すように、特装車Ｖが備えるコンプレッサの回転数、及び、タンクＴの内部圧力及び配管の圧力が表示される。また、メータパネル１の右側領域には、モードの切り替えや各種設定を行う際に操作されるスイッチ１２が設けられている。
【００１８】
メータパネル１は、ベース３及びカバー４からなる電子部品収納ケース２と、ベース３とカバー４とが組み合わされることにより形成される空間Ｓに収納される電子部品５とからなる。メータパネル１を分解した状態を図３に示す。電子部品５は、主に、可視的な情報を表示する画面５１１を備えたディスプレイ５１と、基板アセンブリー５２とを備える。カバー４は、枠部４ａと窓部４ｂとが組み合わされている。窓部４ｂは、ディスプレイ５１に対向する部分に位置し、透明とされている。このように窓部４ｂを設けることにより、ディスプレイ５１を電子部品収納ケース２の内部に密閉しつつ、透明な窓部４ｂ越しにディスプレイ５１の画面５１１を外部から視認可能である。
【００１９】
電子部品収納ケース２は特装車Ｖの外部に設けられていることから、雨水等が直接当たる。このため電子部品収納ケース２には、内部の空間Ｓに水分が浸入しない（仮に水分が浸入したとしても、電子部品５まで至ることを抑制できる）防水性が求められる。このため、本実施形態の電子部品収納ケース２では、ベース３とカバー４とによる独自の凹凸組み合わせ構造によって防水性を発揮している。
【００２０】
以下、電子部品収納ケース２の構成につき具体的に説明する。図４に示すように、ベース３は、前記空間Ｓよりも後方側（一方側）に設けられたベース側基部３１と、後方に向かい凹んだ凹部であって、前記空間Ｓの外方に位置する（図示の上側、下側、手前側、奥側で全周にわたって周回する）ベース側凹部３２と、ベース側凸部３３の一対とを備える。ベース側凹部３２、ベース側凸部３３の一対は、前記空間Ｓに対し、電子部品５用の電気コネクタが設けられた部分を除いて略周回している。ベース側凸部３３は、ベース側凹部３２とは異なる位置（本実施形態ではベース側凹部３２に隣り合った位置）でベース側基部３１から前方に突出している。ベース側凹部３２は、ベース側基部３１から前方に突出した小凸部３１１とベース側凸部３３との間に形成されている。本実施形態では、ベース側凹部３２の底面がベース側基部３１の前面と前後方向で同一位置にある（同一面上にある）。なお、本実施形態では、ベース側凸部３３のうち先端部３３１の幅寸法（図示上下寸法）は他の部分の幅寸法よりも小さく形成されている。図４に示す縦断面において、ベース側凹部３２、ベース側凸部３３の一対は、図４の手前側から奥側に延びている。ベース側凹部３２の底部にはベース側シール部材３４が配置されている。
【００２１】
カバー４は、前記空間Ｓよりも前方側（他方側）に設けられたカバー側基部４１と、前方に向かい凹んだ凹部であって、前記空間Ｓの外方に位置するカバー側凹部４２、カバー側凸部４３の一対とを備える。カバー側凹部４２、カバー側凸部４３の一対は、例えば電子部品５に給電するための電気コネクタが設けられるために内外連通が必要な部分を除いて、前記空間Ｓに対して略周回している。カバー側凸部４３は、カバー側凹部４２とは異なる位置（本実施形態ではカバー側凹部４２に隣り合った位置）でカバー側基部４１から後方に突出しており、断面形状が楔形である。カバー側凹部４２は、カバー側基部４１から後方に突出した小凸部４１１とカバー側凸部４３との間に形成されている。本実施形態では、カバー側凹部４２の底面がカバー側基部４１の後面と前後方向で同一位置にある。カバー側凹部４２の底部にもカバー側シール部材４４が配置されている。前記各シール部材３４，４４は、合成ゴム等の押圧により変形する軟質材料から形成されており、ベース３とカバー４とを水密に接合させるため設けられている。なお、図示していないが、電気コネクタが設けられた部分においては、電気コネクタの側面に凹部が形成（底部にシール部材が配置）されており、この凹部に入り込んでシール部材に当接する凸部がベース３及びカバー４に形成されている。
【００２２】
ベース３とカバー４とが組み合わされ、ベース側基部３１とカバー側基部４１とが前記空間Ｓを挟んで対向した状態では、ベース側凹部３２にカバー側凸部４３が入り込んで、カバー側凸部４３の先端がベース側凹部３２のベース側シール部材３４に当接すると共に、カバー側凹部４２にベース側凸部３３が入り込んで、ベース側凸部３３の先端がカバー側凹部４２のカバー側シール部材４４に当接する。そして、このようにベース３とカバー４とが組み合わされた状態にて、ベース側凸部３３は基端部が後方にあり、先端部が前方にある。そして、カバー側凸部４３は基端部が前方にあり、先端部が後方にある。よって、ベース側凸部３３とカバー側凸部４３とは、前後方向で対向する各基部３１，４１からそれぞれ逆方向に延びている。つまり、両者は反対方向に突出した関係にある。
【００２３】
この構成により、ベース側シール部材３４とカバー側シール部材４４とを前後方向で対向させられる。本実施形態では、前後方向において、ベース側基部３１とカバー側基部４１との距離と同一距離で、ベース側シール部材３４とカバー側シール部材４４とが離れている。よって、従来よりも、ベース側シール部材３４とカバー側シール部材４４との距離を、対向したベース側基部３１とカバー側基部４１との距離に対応させられるため長く設定できる。このため、もし電子部品収納ケース２において外側に位置するカバー側シール部材４４から水分が浸入したとしても、ベース側凸部３３を含む部分における側面、及び、カバー側凸部４３における側面に水分が付着していくため、内側に位置するベース側シール部材３４まで水分がたどり着いたとしても、たどり着く水量は少なくなる。水量が少ないので、ベース側シール部材３４で水分の浸入を容易に止めることができる。この結果、電子部品５の収納された空間Ｓまで水分が浸入することを有効に抑制できる。
【００２４】
このようにベース３とカバー４とが組み合わされた状態にて、ベース側凸部３３とカバー側凸部４３は直近で隣り合っている。図４に示す断面では、ベース側凸部３３とカバー側凸部４３は、両者間に介在物がない状態で、上下で隣り合っている。そして、ベース側凸部３３における前記隣り合う関係にある側面（図４に示す下面）３５が、先端（図４における左方）に向かうにつれ、ベース側凸部３３が入り込むカバー側凹部４２における幅方向中央（図４における上方）に近づくようなテーパ面である。また、カバー側凸部４３における前記隣り合う関係にある側面（図４に示す上面）４５が、先端（図４における右方）に向かうにつれ、カバー側凸部４３が入り込むベース側凹部３２における幅方向中央（図４における下方）に近づくようなテーパ面である。このテーパ面は、成形型を用いた樹脂成型において設定される「抜き勾配」に係るテーパ面が兼ねることもできるし、独自の勾配を有したテーパ面であってもよい。
【００２５】
この構成により、カバー４をベース３に組み合わせる際、テーパ面である各面３５，４５がベース側凸部３３を当接しながらカバー側凹部４２に誘導し、カバー側凸部４３を当接しながらベース側凹部に誘導する。このようにテーパ面である各面３５，４５が移動のガイドをするため、電子部品収納ケース２の組み立て作業が容易である。
【００２６】
本発明はその趣旨を逸脱しない範囲で種々変形が可能である。その他、各部の具体的構成についても上記実施形態に限られるものではない。例えば、前記実施形態では、電子部品収納ケース２が特装車Ｖに取り付けられていたが、取り付け対象物は限定されない。
【００２７】
また、電子部品５がディスプレイ５１を備えなくてもよく、例えばアナログ式のメータを備えていてもよい。更に、電子部品５が表示機能を有する場合、表示内容は特に限定されない。また、カバー４が透明な部分を備えなくてもよい。
【００２８】
また、図５（ａ）に示すように、ベース３において、ベース側凸部３３よりも内方（図示下方）に更に第２凸部３６を形成し、カバー４において、第２凸部３６が入り込むもので、シール部材４８を有する第２凹部４７を形成することもできる。この形態では、シールが３箇所でなされることになるため、前記実施形態よりも更に防水性を向上できる。
【００２９】
また、図５（ｂ）に示すように、カバー４において、カバー側凹部４２から内方（図示下方）に離してカバー側凸部４３を設けておき、カバー側凹部４２に隣接して突出寸法がカバー側凸部４３よりも小さな第２凸部４６を形成することもできる。この形態では、前記実施形態と違い、ベース側凸部３３とカバー側凸部４３は直近で隣り合っておらず離れている（離れた状態で隣り合っている、または、介在物としての、小さな第２凸部４６と後述の第２小凸部３１２とを介して隣り合っているとも言える）。また、この形態のベース側凹部３２は、ベース側基部３１から前方に突出した小凸部３１１と、小凸部３１１よりもベース側凸部３３寄りでベース側基部３１から前方に突出した第２小凸部３１２とにより形成されている。この形態では、カバー側シール部材４４とベース側シール部材３４とを内方（図示下方）に前記実施形態よりも離すことができる（つまり、カバー側シール部材４４からベース側シール部材３４まで浸入した水分が流れ得る距離を大きくできる）ため、前記実施形態よりも更に防水性を向上できる。
【符号の説明】
【００３０】
１…メータパネル、２…電子部品収納ケース、３…ベース、４…カバー、４ａ…枠部、４ｂ…窓部、５…電子部品、１１…表示窓、１２…スイッチ、３１…ベース側基部、３１Ａ…連結壁部、３２…ベース側凹部、３３…ベース側凸部、３４…ベース側シール部材、３５…側面、３６…第２凸部、４１…カバー側基部、４２…カバー側凹部、４３…カバー側凸部、４４…カバー側シール部材、４５…側面、４６…第２凸部、４７…第２凹部、４８…シール部材、５１…ディスプレイ、５２…基板アセンブリー、３１１…小凸部、３１２…第２小凸部、３３１…ベース側凸部の先端部、４１１…小凸部、５１１…画面、Ｓ…空間、Ｔ…タンク、Ｖ…特装車（粉粒体運搬車）
【図１】
2019220635.tif 000003
【図２】
2019220635.tif 000004
【図３】
2019220635.tif 000005
【図４】
2019220635.tif 000006
【図５】
2019220635.tif 000007